(57)【要約】【課題】作製が容易であると共に、安全性、リサイクル性に優れた方形体玩具を提供する。【解決手段】複数個を組み合わせて方形体形状とした紙箱１と、前記方形体形状を覆うように裁縫された布製のカバー２と、前記カバー２の一側面に設けられた開口部２ａを閉じる閉塞手段３とを備えたことを特徴とする。【選択図】  図１
0003119190.tif 000002
【実用新案登録請求の範囲】
【請求項１】
複数個を組み合わせて方形体形状とした紙箱と、
前記方形体形状を覆うように裁縫された布製のカバーと、
前記カバーの一側面に設けられた開口部を閉じる閉塞手段とを備えたことを特徴とする方形体玩具。
【請求項２】
前記カバーの一側面に持ち手を縫い付けたことを特徴とする請求項１に記載の方形体玩具。
【請求項３】
前記カバーの側面に装飾を縫い付けたことを特徴とする請求項１または請求項２に記載の方形体玩具。
【考案の詳細な説明】
【技術分野】
【０００１】
本考案は、複数個の紙箱とこれらを覆う布製のカバーとから作る簡便で安全性、リサイクル性の高いイスや踏み台として使用できる方形体玩具に関する。
【背景技術】
【０００２】
従来、この種のイスや踏み台として使用されている玩具に、牛乳パックを切り開いて三角柱形状を作り、これを２４個合わせて６角柱形状とし、布カバーなどで覆ったものが知られている。これは牛乳パックの組み合わせに手間がかかり、また、布カバーを６角柱形状に合わせた角度で裁縫しなければならず、布カバーの作製も難しい（例えば、非特許文献１参照）。
【０００３】
一方、従来から内部にウレタンなど発泡材から作られたクッション材を詰めて布カバーで覆ったブロックが知られている。これは不要になったときの廃棄方法として、リサイクルが困難であり、また、有害物質が発生するので一般的な焼却ができなかった（例えば、特許文献１参照）。
【非特許文献１】HP:http://baby-land.co.jp/index.cgi?mode=goodsdetailindex&goodscategoryid=22&goodsitemid=1022  平成17年10月20日掲載
【特許文献１】特開平８−１０３５８１号公報
【考案の開示】
【考案が解決しようとする課題】
【０００４】
上記のイスや踏み台として使用されている玩具では、製作に手間がかかったり、不要となったときの廃棄方法に問題があった。
本考案は、作製が容易であり、安全性、リサイクル性に優れたイスや踏み台として使用される方形体玩具を提供することを目的とする。
【課題を解決するための手段】
【０００５】
上記目的を達成するために、複数個を組み合わせて方形体形状とした紙箱と、前記方形体形状を覆うように裁縫された布製のカバーと、前記カバーの一側面に設けられた開口部を閉じる閉塞手段とを備えたことを特徴とする。
【考案の効果】
【０００６】
このような本考案の構成によれば、複数個の紙箱を組み合わせて方形体形状とし、これらを布製のカバーで覆っているので、軽くて持ち運びが楽であり、作製が容易で、安定性、安全性にも優れる。また、不要になって廃棄するときも分解が容易で、紙と布に分別できてリサイクルに適し、環境にやさしいものとすることができる。
【考案を実施するための最良の形態】
【０００７】
以下、図面を参照して本考案の実施例を説明する。
【実施例１】
【０００８】
先ず、本考案の実施例１に係る方形体玩具を図１、図２を参照して説明する。図１は、本考案の実施例１に係る方形体玩具を一部切り欠いて示す斜視図、図２は、本発明の実施例１に係る方形体玩具の内部に使用する紙箱を示す斜視図である。
【０００９】
図１に示すように、方形体玩具は、例えば１０００ｍｌの牛乳パック、ジュースパック、酒パックなどの紙箱１を複数個組み合わせ、これらの紙箱１を覆う大きさで予め裁縫してある例えばキルティング製、フリース製、フェルト製、デニム製などの布からなるカバー２から構成されている。キルティング製は、クッション性があって、耐久性のある生地であり、柄物、無地物などいずれも好ましい。
【００１０】
カバー２には、一側面が開口した開口部２ａが設けられ、開口部２ａを閉じるようなファスナー３が縫い付けられている。また、図２に示すように、紙箱１内には、紙箱１と同種類の紙をＷ字状に折りたたんだ補強材４を挿入している。補強材４は、新聞紙など紙類を丸めたものでもよい。
【００１１】
このような方形体玩具は、次のようにして製作する。
紙箱１を複数個組み合わせて、例えば幅２１ｃｍ、高さ２１ｃｍ、奥行き３５ｃｍ程度の方形体形状を作る。（１０００ｍｌ牛乳パック３個×５列で製作でき、幼児が用いる大きさとして好ましい。）互いの紙箱１は、両面テープや接着剤などで固定する。飲料を取り出すために開封した紙箱１の上部は四隅をはさみで切り、図２のように折りたたむ。折りたたんだ凸凹部は、平滑面とするためダンボール紙、厚紙などを敷き補強してもよい。また、折りたたんだ面を同一方向に一列配置の複列に並べると外観が揃って美観上好ましい。そして、これらを開口部２ａからカバー２内に収納し、収納後、ファスナー３を図１の矢印のように移動させ開口部２ａを閉じる。ここで、開口部２ａには、マジックテープ（登録商標）、スナップ、ボタンのようなものを設けてもよく、これらを開口部２ａを閉じる閉塞手段と定義する。
【００１２】
このように製作した方形体玩具は、イスや踏み台として使用することができる。また、紙箱１は、軽量で丈夫、牛乳パックの場合、撥水性に優れるため濡れても拭くだけでよい。更に、方形体形状のため、いかなる面において安定性に優れ、人が上に乗っても転倒し難いものとなる。方形体形状のカバー２においては、直線の平行、直角の裁縫でよく、製作が容易で、着脱も簡便である。また、紙と布から作っているため、ぶつかって怪我する可能性も少ないうえ、床や家具を傷つける心配もない。
【００１３】
上記本考案の実施例１によれば、紙箱１を組み合わせて方形体形状としているので、方形体の組立て製作やカバー２の裁縫が容易であり、不要になって廃棄するときには分解が容易で、紙と布とに分別できてリサイクルに適し、環境にやさしいものとすることができる。
【００１４】
なお、上記実施例１では、紙箱１内に補強材４を入れて説明したが、飛んだり跳ねたりする過度の荷重を加えない場合においては、この補強材４を入れなくてもよい。
【実施例２】
【００１５】
次に、本考案の実施例２に係る方形体玩具を図３を参照して説明する。図３は、本発明の実施例２に係る方形体玩具を一部切り欠いて示す斜視図である。実施例２が実施例１と異なる点は、カバーに持ち手や装飾を設けたことである。図３において、図１と同様の構成部分においては、同一符号を付し、その詳細な説明を省略する。
【００１６】
図３に示すように、複数個の紙箱１を覆ったカバー２の一側面には、例えばカバー２と同種類の共布などで作製した複数の持ち手５ａ、５ｂを縫い付けている。持ち手５ａ、５ｂは、ひも状で長手方向の両端に取り付けられ、また、カバー２との間に手が入るように、遊びを持たせている。
また、カバー２の少なくとも一側面には、予め製作しておいたバス、草花などの装飾６ａ、６ｂを縫い付けている。図３において、装飾６ａは窓であり、装飾６ｂはタイヤであり、バスをイメージしたものとなっている。更には、紙箱１とカバー２との間には、押すことにより音が出る笛７を設けている。
【００１７】
これにより、持ち手５ａ、５ｂによって方形体玩具の移動が容易にでき、幼児でも自由に持ち歩くことができる。
また、バスをイメージしたものでは、子供たちが乗り物として遊ぶことができる。電車をイメージした装飾６ａ、６ｂを付け、複数個並べると、電車に見立て遊ぶことができる。更には、座るたびに笛７により、バスではクラクション、電車では汽笛のする音色を出すと、より一層遊びを楽しくすることができる。
【００１８】
上記本考案の実施例２によれば、実施例１による効果のほかに、玩具としてより一層遊びを楽しくすることができる。
【図面の簡単な説明】
【００１９】
【図１】本発明の実施例１に係る方形体玩具を一部切り欠いて示す斜視図。
【図２】本発明の実施例１に係る方形体玩具の内部に使用する紙箱を示す斜視図。
【図３】本発明の実施例２に係る方形体玩具を一部切り欠いて示す斜視図。
【符号の説明】
【００２０】
１  紙箱
２  カバー
２ａ  開口部
３  ファスナー
４  補強材
５ａ、５ｂ  持ち手
６ａ、６ｂ  装飾
７  笛
【図１】
0003119190.tif 000003
【図２】
0003119190.tif 000004
【図３】
0003119190.tif 000005